(57)【要約】【課題】円筒形の放電励起型パルスガスレーザー装置を小型化するとともに、シート状コンデンサを容易に交換できるようにする。【解決手段】半円筒状の支持導体と放電電極10を一体化した山型導体部４を、放電電極10を対向させてレーザー発振部を構成する。半円筒状の支持導体の外側に、シートコンデンサ６を交換可能に巻きつける。第１の放電電極10と接地間に、第１のシートコンデンサ６が形成される。第２の放電電極10と接地間に、第２のシートコンデンサ６が形成される。高圧電源に、第１の放電電極10を接続する。第１の放電電極10に、コイル５を介して第２の放電電極10を接続する。第２の放電電極10に、放電ギャップ８を接続する。これらの放電ユニットを、円筒ケース１内に収める。放電電極間の放電により、レーザー媒質ガスを励起してレーザー光を発生する。【選択図】図１
2009135189.tif 000002
【特許請求の範囲】
【請求項１】
高圧電源と、前記高圧電源に接続された第１の放電電極と、前記第１の放電電極に一端が接続された抵抗またはコイルと、前記抵抗またはコイルの他端に接続され前記第１の放電電極に平行に対向する第２の放電電極と、前記第１の放電電極に接続された円筒状の第１のコンデンサと、前記第２の放電電極に接続された円筒状の第２のコンデンサと、前記各放電電極のいずれかまたは前記各コンデンサのいずれかと接地間に接続された放電ギャップとを具備し、前記第１と第２の放電電極間の放電によりレーザー媒質ガスを励起してレーザー光を発生する放電励起型パルスガスレーザー装置において、前記各コンデンサは、導体膜と誘電体膜を重ねて円筒状に巻きつけた交換可能なシート状コンデンサであることを特徴とする放電励起型パルスガスレーザー装置。
【発明の詳細な説明】
【技術分野】
【０００１】
本発明は、ガスレーザー装置に関し、特に、放電励起型のパルスガスレーザー装置を超小型にしたレーザー装置に関する。
【背景技術】
【０００２】
従来のパルスガスレーザー装置のうち、コンデンサに蓄積した電荷を対向電極間で放電して、レーザー媒質ガスを励起する放電励起型パルスガスレーザー装置では、コンデンサが大型になり、レーザー装置の小型化が困難であった。そこで、放電励起型パルスガスレーザー装置を小型化するために、レーザー装置を円筒形にして、コンデンサを円筒状に形成することが提案されている。以下に、コンデンサを円筒状にした放電励起型パルスガスレーザー装置の従来例をいくつかあげる。
【０００３】
特許文献１に開示された「放電励起パルスガスレーザー装置」は、コンデンサを含む励起回路を使用して、高効率でレーザー出力が得られるものである。図５（ａ）に示すように、放電励起パルスガスレーザー装置のレーザー容器構造を２重化して、外壁型コンデンサを形成する。これを充電用コンデンサとして使用することにより、高効率なレーザー発振が得られる。また、外壁型コンデンサをピーキングコンデンサとすることにより、繰り返し周波数を高くできる。更に、２重化構造によって、放電で発生する音を防ぐことができる。また、誘電体として流体を用い、外部の冷却機との間で循環させるようにして、レーザー容器の冷却を行うこともできる。
【０００４】
特許文献２に開示された「パルスガスレーザー」は、低インダクタンスのパルス成形回路で駆動する小型レーザーである。図５（ｂ）に示すように、このパルスガスレーザーの小型レーザー発生部は、高エネルギーパルスを発生できる。回路のインダクタンスを最小にするエネルギー蓄積コンデンサを用いるので、短時間の高エネルギーパルスを発生でき、レーザー照準器に用いることができる。円筒状の入れ子構造のセラミックコンデンサは、薄い導電層でつながっている。コンデンサは、スパークギャップトリガとコイルと充電抵抗により充電される。コンデンサは、圧力容器を取り巻いている。圧力容器は、レーザー共振器を取り巻いている。レーザー共振器には、レーザー出力鏡と、全反射鏡と、放電電極と、中央空洞がある。中央空洞には、高圧のガスのレーザー媒体が入っている。高電圧放電電極は、周りのコンデンサと同軸状に設けてある。
【０００５】
特許文献３に開示された「ガスレーザー装置」は、立上りの速いパルスレーザー光を発生するものである。図６（ａ）に示すように、誘電体の放電管の内周面に、一対の内面板を設ける。放電管内に対向して、一対の電極が設けられている。一対の電極は、それぞれ内面板に電気的に接続されている。放電管の外周面に、筒状体が設けられている。筒状体は、放電管と内面板とでコンデンサを形成している。内面板と筒状体との間に、スイッチが設けられている。スイッチを動作させると、コンデンサに充電された電荷によって、一対の電極間に放電が発生する。
【０００６】
特許文献４に開示された「パルスガスレーザー発生装置」は、主放電用電極に輝点を生じることがなく、高繰り返しのパルス発振が可能で、横断面が円形で均一な強度分布の出力レーザービームが得られるものである。図６（ｂ）に示すように、第１の主電極と、主放電路を形成するための絶縁体製筒状放電管と、第２の主電極が、この順に縦列配置されて、内部に媒体ガスが収容されている。第１主電極と第２主電極の外方に、光共振器を構成する一対のミラーが配置されている。第１主電極と第２主電極の間に主放電用電圧を印加する電源装置がある。第１主電極または第２主電極の少なくとも一方の電極の近傍に、筒状誘電体と、筒状誘電体に隣接して配置された補助電極とがある。動作時に補助電極に電圧を印加して、筒状誘電体の内側領域にプラズマ電極を生成する。
【０００７】
【特許文献１】特開平01-24479号公報
【特許文献２】米国特許第4,876,693号明細書
【特許文献３】特許3034367号公報（特開平05-167157号公報）
【特許文献４】再公表WO99-060676号公報
【発明の開示】
【発明が解決しようとする課題】
【０００８】
しかし、従来の円筒形の放電励起型パルスガスレーザー装置には、次のような問題がある。コンデンサを円筒状にするために、誘電体を堅固なものにしている。そのため、コンデンサの容量を大きくできず、レーザー出力の割には小型化できない。小型化するには、誘電体を薄くして容量を増やす必要があるが、コンデンサが劣化しやすくなり、寿命が短くなる。劣化したコンデンサを交換しようとしても、コンデンサがレーザー装置と一体化しているため、コンデンサのみの交換ができない。
【０００９】
本発明の目的は、上記従来の問題を解決して、放電励起型パルスガスレーザー装置を小型化するとともに、円筒状コンデンサの交換を容易にできるようにすることである。
【課題を解決するための手段】
【００１０】
上記の課題を解決するために、本発明では、高圧電源と、高圧電源に接続された第１の放電電極と、第１の放電電極に一端が接続された抵抗またはコイルと、抵抗またはコイルの他端に接続され第１の放電電極に平行に対向する第２の放電電極と、第１の放電電極に接続された円筒状の第１のコンデンサと、第２の放電電極に接続された円筒状の第２のコンデンサと、各放電電極のいずれかまたは各コンデンサのいずれかと接地間に接続された放電ギャップとを具備し、第１と第２の放電電極間の放電によりレーザー媒質ガスを励起してレーザー光を発生する放電励起型パルスガスレーザー装置の各コンデンサを、導体膜と誘電体膜を重ねて円筒状に巻きつけた交換可能なシート状コンデンサとした。
【発明の効果】
【００１１】
上記のように、シート状コンデンサを交換可能に巻きつける構成としたので、放電励起型パルスガスレーザー装置を小型化でき、シート状コンデンサの交換も容易になる。
【発明を実施するための最良の形態】
【００１２】
以下、本発明を実施するための最良の形態について、図１〜図４を参照しながら詳細に説明する。
【実施例】
【００１３】
本発明の実施例は、円筒状のレーザー発振部の外側にシート状コンデンサを交換可能に巻きつけた放電励起型パルスガスレーザー装置である。
【００１４】
図１は、本発明の実施例における放電励起型パルスガスレーザー装置の概念図である。図１（ａ）は、シート状コンデンサの一部をカットして示した放電励起型パルスガスレーザー装置の平面図である。図１（ｂ）は、放電励起型パルスガスレーザー装置の側面図である。図１（ｂ）は、放電励起型パルスガスレーザー装置の平面図である。図１（ｄ）は、放電励起型パルスガスレーザー装置を円筒ケースに収める様子を示す図である。図２は、放電励起型パルスガスレーザー装置の放電電極と支持導体が一体となった山型導体部の形状を示す図である。図３は、シート状コンデンサを示す図である。図４は、シート状コンデンサの巻き付け方を示す図である。図１〜図４において、円筒ケース１は、レーザーユニットを収容するケースである。接地電極２は、シート状コンデンサの接地側電極に接続される電極である。誘電体３は、シート状コンデンサの誘電体である。山型導体部４は、放電電極と支持導体を一体にして、断面を丸みのある山型にした導体である。
【００１５】
コイル５は、２つの放電電極を結ぶコイルである。抵抗でもよい。シート状コンデンサ６は、導体膜と誘電体膜で構成された、電荷を蓄積する素子である。鏡７は、後方のレーザー光を反射する鏡である。鏡は無くてもよいし、両側に鏡を設けた光学系共振器としてもよい。放電ギャップ８は、高速スイッチの機能を果たす手段である。レーザー発振部９は、放電電極と支持導体で構成され、放電によりレーザー発振を行う部分である。放電電極10は、コロナ放電あるいはグロー放電をパルス的に行って、レーザー媒質ガスを励起する電極である。導体膜11は、コンデンサの電極を構成する導体である。放電部12は、放電電極10の間でコロナ放電あるいはグロー放電を行なう空間である。
【００１６】
上記のように構成された本発明の放電励起型パルスガスレーザー装置の機能と動作を説明する。最初に、図１を参照しながら、この放電励起型パルスガスレーザー装置の機能の概要を説明する。基本的な構成と動作原理は、従来の円筒型の放電励起型パルスガスレーザー装置と同様である。円筒状のコンデンサをシート状コンデンサで構成する点と、放電電極を保持する支持導体の形状が、従来のものと異なる。放電電極10を保持する支持導体の形状を半円筒形にする。円筒状や円筒形は、断面が円や楕円や丸みのある多角形を含めたものをいう。
【００１７】
シート状コンデンサ６を、レーザー発振部９に交換可能に直接巻きつける。このようなシンプルな構造にして、レーザー光発生に必要な要素を小型化して一体化する。ハンディサイズに小型化でき、シート状コンデンサ６を容易に交換できる。最低でも４kV程度の高電圧があれば、レーザー光の発生が可能である。シート状コンデンサ６の充電電圧が所定の電圧値に達すると、放電ギャップ８で火花放電が起こり、一方のシート状コンデンサ６の電荷が放出される。他方のシート状コンデンサ６との間に電位差が生じて、放電電極間に高電圧が発生し、コロナ（グロー）放電が起こる。一直線状に発生する立上りの速いコロナ（グロー）放電により、レーザー媒質ガスを励起し、レーザー光を発生させる。
【００１８】
次に、図２を参照しながら、放電電極について説明する。図２（ａ）、（ｂ）、（ｃ）に、山型導体部４の側面図と、上面図と、下面図を示す。図２（ｄ）に、軸に垂直な中央部の断面図を示す。図２（ｄ）に示すように、山型導体部４の断面は丸みのある山字型をしている。２つの放電電極10を対向させて、図２（ｅ）に示すように、円筒型のレーザー発振部９にする。放電電極10の長手方向の端部に電界が集中し火花放電などが起こる場合には、両端の１mmに丸みを付ける。レーザー発振部９にシート状コンデンサを巻きつけて、シート状コンデンサ６の一方のアルミシートを山型導体部４に接触させて、電気的に接続する。円筒の直径を２cm程度にすることで、手で持って扱い易いサイズになる。シート状コンデンサ６が損傷した場合は、容易に取り外して交換できる。
【００１９】
次に、図３（ａ）を参照しながら、シート状コンデンサについて説明する。まず、円筒状に巻きやすい素材を選ぶ。巻いたときに皺にならず、厚さや表面が均一な素材でなければならない。シート状コンデンサ６の形成には、100μmの厚さのポリエステルシートと12μmの厚さのアルミシートを用いる。２枚のアルミシートの間にポリエステルシートを挟んで、シート状コンデンサ６を構成する。アルミシートの代わりに銅シートなどでもよい。誘電体３は、ポリイミドやポリエチレンテレフタレートなど、必要な耐電圧を持つものであればよい。シート状コンデンサ６の下側の導体膜11（接地側導体）の下にも誘電体３があるので、２つのシート状コンデンサ６を重ねて巻くことができる。
【００２０】
次に、図３（ｂ）を参照しながら、円筒状のレーザー発振部の構造について説明する。半円筒型をした支持導体を、放電電極10と一体化して、山型導体部４とする。放電電極10の先端部の形状は従来のものと同じであるが、放電電極10の後部を支持導体と連続させて、放電電極10と支持導体を一体化した山型導体部４とする。放電電極10を対向配置して、円筒型のレーザー発振部９を構成にする。レーザー発振部９を円筒型構造にして、シート状コンデンサ６を巻きやすくしてある。円筒型のレーザー発振部９に、シート状コンデンサ６を交換可能に巻きつける。一方のシート状コンデンサ６には、電源と一方の放電電極10を接続する。他方のシート状コンデンサ６には、他方の放電電極10と放電ギャップ８を接続する。
【００２１】
図４を参照しながら、シート状コンデンサの巻き方を説明する。シート状コンデンサ６の端部をレーザー発振部９の内部に入れて、予備電離のための電極とする。上側のシート状コンデンサ６の端部がＡであり、下側のシート状コンデンサ６の端部がＢである。シート状コンデンサ６を山型導体部４に沿って巻きつける。シート状コンデンサ６の上側の導体膜11が山型導体部４に接触して電気的に接続される。シート状コンデンサ６を半円分巻きつけると、端部Ａに他方のシート状コンデンサ６のＤ部が重なる。また、端部Ｂには、他方のシート状コンデンサ６のＣ部が重なる。さらにシート状コンデンサ６を巻きつけると、他方のシート状コンデンサ６の上に重なって巻きつけられる。Ａ’部は、Ａ部とＤ部に重なり、Ｂ’部は、Ｂ部とＣ部に重なる。この状態では、一方のシート状コンデンサ６の導体膜11と他方のシート状コンデンサ６の導体膜11とでもコンデンサが形成される。このようにして、必要なだけシート状コンデンサ６を巻きつける。シート状コンデンサ６は、樹脂バンドなどの適当な方法で固定するか、必要に応じて、ベークライトなどの絶縁性樹脂の円筒ケース１内に収める。このようにシート状コンデンサ６を巻きつけるので、放電電極10の間隔を固定したまま、容易にシート状コンデンサ６を交換できる。
【００２２】
次に、レーザー媒質について説明する。大気をそのまま利用して、大気中の窒素ガスをレーザー媒質とすることができる。レーザー発振部を大気に開放したまま、純窒素ガスを吹き込んで、大気圧の窒素ガスレーザーとすることもできる。大気圧の純窒素ガスまたは大気圧より高圧または低圧の純窒素ガスを封入してもよい。窒素ガスと希ガスの混合ガスを封入してもよい。炭酸ガスでもよい。また、希ガスハライド系や水銀ハライド系のエキシマでもよい。周知の放電励起型パルスガスレーザー装置に用いられているレーザー媒質ガスであれば、いずれでもよい。また、これらのレーザー媒質ガスを励起する回路としても、LCR回路や容量移行型回路やLC反転回路やパルス波形成形回路やBlumlein回路など、周知の励起回路を用いることができる。
【００２３】
次に、コイルについて説明する。２つのシート状コンデンサ６同士をつなぐ充電用の素子は、コイルや抵抗が一般的である。メンテナンスしやすく、特性に変化が少ない空芯コイルを用いる。コイルの代わりに抵抗でもよい。放電電極10同士は、コイル５を介して接続されており、同電位に充電されるようになっている。放電ギャップ８に火花放電が発生した瞬間には、コイル５のインピーダンスは無限大とみなしてもよくなり、放電電極10間の高電圧の発生には影響を与えない。
【００２４】
次に、動作条件を説明する。レーザー媒質ガスを励起できるような速い立上りを実現するためには、パルス発生回路のインダクタンスを十分小さくする必要がある。パルス発生回路のインダクタンスを十分に小さく保ち、放電電極10間に短時間に高い電位差を生じさせることが重要である。そこで、放電電極10とシート状コンデンサ６と放電ギャップ８の距離を極力短くするように配置する。ところで、シート状コンデンサ６への充電電圧を上げて、放電電極10間に発生させる電圧を上昇させることで、大きな出力が得られるようになるが、十分な出力を得るには、放電電極10の間隔を大きくする必要がある。
【００２５】
瞬間パルスレーザー光のエネルギーは、例えば、電極長が150mmでミラーありで純窒素大気圧動作で、20μJ程度である。パルス幅は、例えば、１nsec程度である。また、予備電離回路を使用して、発生する弱いコロナ放電により予備電離を行う。周知のように、レーザー媒質ガスや励起回路や装置サイズなどにより、動作条件はかなり異なるので、個別の詳しい説明は省略する。
【００２６】
構造が簡単で小型化しやすいセルフトリガ式の放電ギャップ８を大気圧中で用いる。放電ギャップ８は、放電電極10の端に取り付けたコイル５の近くに配置している。例えば、充電電圧が約4.8kVになるように、放電ギャップ８を調整する。電源に、電池駆動ができる小型モジュール化された高圧電源装置を利用できる。これらのものは周知のものを利用できるので、詳しい説明は省略する。
【００２７】
上記のように、本発明の実施例では、放電励起型パルスガスレーザー装置を、円筒状のレーザー発振部の外側にシート状コンデンサを交換可能に巻きつけた構成としたので、小型化でき、シート状コンデンサの交換も容易になる。
【産業上の利用可能性】
【００２８】
本発明の放電励起型パルスガスレーザー装置は、レーザー医療機器やレーザー加工機やレーザー利用の測定器や計測器や指紋可視化装置などのためのハンディサイズのレーザー装置として最適である。
【図面の簡単な説明】
【００２９】
【図１】本発明の実施例における放電励起型パルスガスレーザー装置の概念図である。
【図２】本発明の実施例における放電励起型パルスガスレーザー装置のレーザー発振部の図である。
【図３】本発明の実施例における放電励起型パルスガスレーザー装置のシート状コンデンサを示す図である。
【図４】本発明の実施例における放電励起型パルスガスレーザー装置のシート状コンデンサの巻き付け方を示す図である。
【図５】従来の円筒状の放電励起型パルスガスレーザー装置の概念図である。
【図６】従来の円筒状の放電励起型パルスガスレーザー装置の概念図である。
【符号の説明】
【００３０】
１  円筒ケース
２  接地電極
３  誘電体
４  山型導体部
５  コイル
６  シート状コンデンサ
７  鏡
８  放電ギャップ
９  レーザー発振部
10  放電電極
11  導体膜
12  放電部
【図１】
2009135189.tif 000003
【図２】
2009135189.tif 000004
【図３】
2009135189.tif 000005
【図４】
2009135189.tif 000006
【図５】
2009135189.tif 000007
【図６】
2009135189.tif 000008